(57)【要約】【課題】手の甲の部分を保護する筒部が手首から前腕部分を保護する小手筒に対して上方向に向いた状態で逢着した構造の小手を提供する。【解決手段】小手は、挿入された手の指部分と掌を保護する小手頭と手の内からなるころも部と、前記小手頭に連設して逢着され、手の甲の部分を保護する下部側を開放とした筒部と、前記筒部に連設して逢着され、手首から前腕部分を保護するための下部側を開放とし該開放した部位を小手紐で結ぶようにした小手筒と、からなり、前記筒部に逢着するための小手筒は、その縫い合わせ目の端部を中央部分が最深となる凹曲面形状に形成し、この凹曲面形状の端部に前記筒部の端部を付き合わせて逢着することで、前記筒部全体が前記小手筒に対して上方向に向いた状態の筒形状に形成したことである。【選択図】図１
2007143840.tif 000002
【特許請求の範囲】
【請求項１】
挿入された手の指部分と掌を保護する小手頭と手の内からなるころも部と、
前記小手頭に連設して逢着され、手の甲の部分を保護する下部側を開放とした筒部と、
前記筒部に連設して逢着され、手首から前腕部分を保護するための下部側を開放とし該開放した部位を小手紐で結ぶようにした小手筒と、
からなり、
前記筒部に逢着するための小手筒は、その縫い合わせ目の端部を中央部分が最深となる凹曲面形状に形成し、この凹曲面形状の端部に前記筒部の端部を付き合わせて逢着することで、前記筒部全体が前記小手筒に対して上方向に向いた状態の筒形状に形成したことを特徴とする小手。
【請求項２】
挿入された手の指部分と掌を保護する小手頭と手の内からなるころも部と、
前記小手頭に連設して逢着され、手の甲の部分を保護する下部側を開放とした筒部と、
前記筒部に連設して逢着され、手首から前腕部分を保護するための下部側を開放とし該開放した部位を小手紐で結ぶようにした小手筒と、
からなり、
前記小手筒に逢着するための筒部は、その縫い合わせ目の端部を中央部分が最深となる凹曲面形状に形成し、この凹曲面形状の端部に前記小手筒の端部を付き合わせて逢着することで、前記筒部全体が前記小手筒に対して上方向に向いた状態の筒形状に形成したことを特徴とする小手。
【発明の詳細な説明】
【技術分野】
【０００１】
本発明は、小手に関し、詳しくは、剣道用の小手であって、着脱をし易くするために手首上部の甲の部分の曲がり具合に添った形状にすることで着脱し易く且つ竹刀を把持し易くした小手に関する。
【背景技術】
【０００２】
従来技術における小手は、図３示すように、手を入れるころも部１１と、このころも部１１に連設され手首の周囲を覆う筒部１３と、この筒部１３に連設され前腕を覆う小手筒１４とから構成され、これらの構成部材が小手筒１４と一直線状（Ｘ−Ｘ'）になるように逢着して構成されている。
ころも部１１は、手が挿入される小手頭１５と手の内１６とからなり、小手頭１５はその表面が牛革又は鹿革で覆われていると共に、内部には鹿毛、羊毛などの獣毛、又はフエルトなどの緩衝材が充填されている。
更に、ころも部１１の内側には、牛革又は鹿革が張設されて手の内１６が形成されており、更にころも部１１の後端部には、緩衝材が充填されて膨出した状態のけら１２が形成されている。
【０００３】
筒部１３は、けら１２の後端部に一体的に逢着されており、手首の周囲を覆う適宜長さを有し、その内部には緩衝材が充填されて肉厚に形成されている。
小手筒１４は、筒部１３の後端部に一体的に逢着されており、前腕を覆う適宜長さを有し、その内部には毛布、綿、又はグラスファイバーなどの緩衝材が収納されて肉厚に形成され、外側を木綿で包んで刺し子が施されている。
【０００４】
【特許文献１】特開平１１−２０６９５０号公報（第２頁乃至第３頁、第１図）
【発明の開示】
【発明が解決しようとする課題】
【０００５】
しかしながら、上記背景技術の項で説明した従来技術の小手は、前腕の部分を覆う小手筒と手の部分を覆うころも部とが同一方向性を持って手首の部分に相当する筒部で連結されている。そのため、手が外側方向に屈曲しているにも関わらず装着時においては手を伸ばした状態で装着しなければならず、装着後においては、ころも部自体を手の把持力により内側方向に引き付けることで、序々に使用回数を重ねることで自分の手の形状に合うように調整する必要があった。
従って、当初から手と手首及び前腕の形状に合うような形状にすると共に、着脱し易く且つ竹刀を把持しやすくした形状に解決しなければならない課題を有する。
【課題を解決するための手段】
【０００６】
上記課題を解決するために、本発明に係る小手は、次に示す構成にすることである。
【０００７】
（１）小手は、挿入された手の指部分と掌を保護する小手頭と手の内からなるころも部と、前記小手頭に連設して逢着され、手の甲の部分を保護する下部側を開放とした筒部と、前記筒部に連設して逢着され、手首から前腕部分を保護するための下部側を開放とし該開放した部位を小手紐で結ぶようにした小手筒と、からなり、前記筒部に逢着するための小手筒は、その縫い合わせ目の端部を中央部分が最深となる凹曲面形状に形成し、この凹曲面形状の端部に前記筒部の端部を付き合わせて逢着することで、前記筒部全体が前記小手筒に対して上方向に向いた状態の筒形状に形成したことである。
（２）小手は、挿入された手の指部分と掌を保護する小手頭と手の内からなるころも部と、前記小手頭に連設して逢着され、手の甲の部分を保護する下部側を開放とした筒部と、前記筒部に連設して逢着され、手首から前腕部分を保護するための下部側を開放とし該開放した部位を小手紐で結ぶようにした小手筒と、からなり、前記小手筒に逢着するための筒部は、その縫い合わせ目の端部を中央部分が最深となる凹曲面形状に形成し、この凹曲面形状の端部に前記小手筒の端部を付き合わせて逢着することで、前記筒部全体が前記小手筒に対して上方向に向いた状態の筒形状に形成したことでる。
【発明の効果】
【０００８】
本発明の小手は、手の甲の部分を保護する筒部が手首から前腕部分を保護する小手筒に対して上方向に向いた状態で逢着した構造にすることで、小手筒から手を挿入したときに指を先頭にして手の甲の部分が上方向に曲がっている筒部に容易に挿入させて指を小手頭まで導入させることができるため、手の形状に合った構造の小手に手が容易に装着できるという効果がある。
【発明を実施するための最良の形態】
【０００９】
次に、本発明に係る小手の実施例について図面を参照して以下説明する。尚、従来技術と同じものには同一符号を付与して説明する。
【実施例１】
【００１０】
本発明の小手は、図１に示すように、従来技術で説明した小手と構成は大略同じであり、その中で手首から手の部分における特徴的な形状を加味して、手の甲部分が外側方向に屈曲した形状に合わせて手の甲部分を保護する筒部を手首から前腕部を保護する小手筒に対して上方向に向けた状態で縫合して形成したことに特徴がある。
【００１１】
小手は、図１に示すように、手の４指が収納されると共に親指が分かれて収納される手袋状に形成され、手の指部分と掌を保護するころも部１１と、このころも部１１と縫着され、一定の肉厚帯状に形成されたけら１２と、このけら１２に連設され手首の周囲を覆う筒部１３と、この筒部１３に連設され前腕を覆う小手筒１４とから構成されている。
ころも部１１は、手が挿入される小手頭１５と手の内１６とからなり、小手頭１５はその表面が牛革又は鹿革で覆われていると共に、内部には鹿毛、羊毛などの獣毛、又はフェルトなどの緩衝材が充填されている。手の内１６は、牛革又は鹿革が張設されて形成されている。
【００１２】
筒部１３は、けら１２の後端部に一体的に逢着されており、手首の周囲或は手の甲部分を保護する適宜長さを有し、下部側を開放とし、その内部には緩衝材が充填されて肉厚に形成されている。
小手筒１４は、筒部１３の後端部に一体的に逢着されており、前腕を覆う適宜長さを有し、下部側を開放としこの開放した部位を小手紐１７で結ぶようにした構成になっており、その内部にには毛布、綿、又はグラスファイバーなどの緩衝材が収納されて肉厚に形成され、外側を木綿で包んで刺し子が施されている。
さて、小手筒１４に筒部１３を逢着するわけであるが、図１及び図２に示すように、逢着する小手筒１４の縫い合わせ目の端部を中央部分が最深となる凹曲面形状１８に形成し、この凹曲面形状１８の端部に筒部１３の端部を付き合わせて逢着することで、凹曲面形状１８の端部に筒部１３の端部が引き付けられるようにして縫合されるため、その分筒部１３の最深凹曲面の端部が最大限上方向に引っ張られた状態で縫合される。従って、筒部１３全体が小手筒１４に対して上方向に向いた状態、即ち、小手筒１４が直線Ｘ−Ｘ'方向であるのに対して筒部１３が上方向を向いた直線Ｙ−Ｙ'方向の筒形状である。
【００１３】
この凹曲面形状にするのは、小手筒側の端部に限定されることなく、付き合わせる端部であれば筒部側の端部を凹曲面形状に形成してもよい。
更に、凹曲面形状にする端部は、小手筒或は筒部の端部に限定されることなく、両者の端部夫々を凹曲面形状に形成し、その凹曲面形状にした端部同士を付き合わせるようにしてもよい。
【００１４】
このようにして形成された小手は、手の甲或は手首の部分を保護する部位の筒部が小手筒よりも上方向を向いた状態になっているために、小手筒から手を挿入したときに、先ず指が筒部に到着したときにそのまま手を押し込んでも、手の甲がその上方向を向いている筒部に添って移動するために、極めて円滑に右手或は左手を装着することができるのである。
【産業上の利用可能性】
【００１５】
手の甲の部分を保護する筒部が手首から前腕部分を保護する小手筒に対して上方向に向いた状態で逢着した構造にすることで、小手筒から手を挿入したときに指を先頭にして手の甲の部分が上方向に曲がっている筒部に容易に挿入できる小手を提供する。
【図面の簡単な説明】
【００１６】
【図１】本願発明に係る小手のうち、右手用の小手を示した説明図である。
【図２】同、凹曲面形状に形成した端部を有する小手筒と筒部との関係を示した説明図である。
【図３】従来技術に係る小手のうち、右手用の小手を示した説明図である。
【符号の説明】
【００１７】
１１      ころも部
１２      けら
１３      筒部
１４      小手筒
１５      小手頭
１６      手の内
１７      小手紐
１８      凹曲面形状。
【図１】
2007143840.tif 000003
【図２】
2007143840.tif 000004
【図３】
2007143840.tif 000005